(57)【要約】      （修正有）【課題】強度と剛性の向上と共に、美観の向上を図った積層構造物を提供する。【解決手段】底部２と環状部３は、ともに複数枚の紙素材の一例である硬質紙を厚さ方向に積層し、貼着した積層体２ａ，３ａにより構成されている。これら積層体２ａ，３ａは、２色以上の色紙の硬質紙５を積層して構成されているが、１色以上であればよい。これら各色紙は、その外表面と内部が共に同一色に着色されており、各色紙を厚さ方向に切断した場合の切断面も同一色を呈する。このために、これら積層体２ａ，３ａの内面と外面の側面２ｂ，３ｂには、複数の色紙の側面の色が積層された積層状態を示すカラーの柾目状の美しい縞模様４がそれぞれ形成され、この縞模様４の少なくとも一面が外部に露出されている。この縞模様４の縞の幅は、色紙の積層数を調節することにより、広い帯状や狭い紐状に簡単に調節することができる。【選択図】図１
0003185821.tif 000002
【実用新案登録請求の範囲】
【請求項１】
２色以上の色紙を含む複数枚の紙素材を厚さ方向に積層貼着して積層体を形成し、この積層体の積層状態を示す積層面の少なくとも一面を目視可能に露出させたことを特徴とする積層構造物。
【請求項２】
前記積層体は、糸鋸により所要形状に切断されて形成されていることを特徴とする請求項１記載の積層構造物。
【請求項３】
前記積層体は、ＮＣルーターにより所要形状に切断されて形成されていることを特徴とする請求項１記載の積層構造物。
【請求項４】
前記積層体は、その外面に、透明塗料を塗装してなることを特徴とする請求項１〜３のいずれか１項に記載の積層構造物。
【請求項５】
前記透明塗料は、食品衛生上安全なウレタン塗料であることを特徴とする請求項４記載の積層構造物。
【請求項６】
前記積層体の複数個を固着して所要の形状に形成されていることを特徴とする請求項１〜５のいずれか１項に記載の積層構造物。
【考案の詳細な説明】
【技術分野】
【０００１】
本考案の実施形態は、例えば紙製什器類等の紙加工品の強度や剛性の向上と共に、端面（木口）の美観向上等を図った積層構造物に関する。
【背景技術】
【０００２】
一般に、紙加工品の一例としてはペーパークラフトがある。従来、この種のペーパークラフトは、例えば紙製の所要の模型等立体物の展開図を印刷し、この展開図面を切り取って立体的に組み立てるものが知られている（例えば、特許文献１参照）。
【先行技術文献】
【特許文献】
【０００３】
【特許文献１】特開２００８−３０７６７号公報
【考案の概要】
【考案が解決しようとする課題】
【０００４】
しかしながら、このような従来のペーパークラフトでは、ペーパークラフト紙等紙素材の強度と剛性が不十分であるので、組み立てられたペーパークラフトは所詮、観賞用であって、家具や道具等什器類として実際に使用し得るものは少ない。
【０００５】
すなわち、従来のペーパークラフト等の紙加工品では、例えば什器類としては紙コップや紙皿等高い強度と剛性を必要としないものに限定されていた。
【０００６】
また、従来のペーパークラフト等の紙加工品では、印刷面等外表面の美観を向上させるための美的処理を施したものが多いが、比較的目立ち易いペーパークラフト紙等紙素材の端面（断面や木口）については美的処理を施していないので、全体としての美観が必ずしも高くないという課題がある。
【０００７】
本考案が解決しようとする課題は、強度と剛性の向上と共に、美観の向上を図った積層構造物を提供することにある。
【課題を解決するための手段】
【０００８】
本実施形態は、２色以上の色紙を含む複数枚の紙素材を厚さ方向に積層貼着して積層体を形成する。また、この積層体の積層状態を示す積層面の少なくとも一面を目視可能に露出させる。
【図面の簡単な説明】
【０００９】
【図１】第１の実施形態に係る紙製の文房具トレイの斜視図。
【図２】第２の実施形態に係る２つの紙製の箸置きの斜視図。
【図３】第３の実施形態に係る紙製のモバイルＰＣスタンドの斜視図。
【図４】（ａ）〜（ｅ）は、図１で示す文房具トレイの製造方法の一例を示す製造工程図。
【考案を実施するための形態】
【００１０】
以下、本考案の実施形態を図面を参照して説明する。なお、複数の図面中、同一または相当部分には同一符号を付して説明する。
【００１１】
図１は、本考案の第１の実施形態に係る紙製の文房具トレイの斜視図である。この図１に示すように文房具トレイ１は、紙製の所要大の円板状の底部２上に、中心孔３ｃを形成したリング状の紙製環状部３を同心円状に貼着して構成されており、底部２上にペンや鉛筆等の筆記具や消しゴム等の文房具を載置収容するように形成されている。
【００１２】
底部２と環状部３は、ともに複数枚（例えば１０〜２０枚）の紙素材の一例である硬質紙を厚さ方向に積層し、貼着した積層体２ａ，３ａにより構成されている。これら積層体２ａ，３ａは、２色以上の色紙の硬質紙５を積層して構成されているが、１色以上であればよい。これら各色紙は、その外表面と内部が共に同一色に着色されており、各色紙を厚さ方向に切断した場合の切断面（木口）も同一色を呈する。このために、これら積層体２ａ，３ａの内面と外面の側面２ｂ，３ｂには、複数の色紙の側面の色が積層された積層状態を示すカラーの柾目状の美しい縞模様４がそれぞれ形成され、この縞模様４の少なくとも一面が外部に露出されている。この縞模様４の縞の幅は、色紙の積層数を調節することにより、広い帯状や狭い紐状に簡単に調節することができるので、その広狭を調節することにより、美観の向上を図ることができる。
【００１３】
次に、図４（ａ）〜（ｅ）を参照してこの文房具トレイ１の製造方法の一例を説明する。
【００１４】
まず、図４（ａ），（ｂ）に示すように環状部３の積層体３ａを形成する。すなわち、矩形等所要形状の複数色の色紙の硬質紙５を複数枚（例えば１０〜２０枚）用意し、その厚さ方向にほぼ同心状に重ね合せる。その重ね合せの際、これら硬質紙５，５，…の側面に形成される予定の縞模様４の配色や幅等美的効果を想定して、色紙の位置を適宜調整する。
【００１５】
次に、これら複数枚の硬質紙５，５，…同士の間に、接着剤６，６，…（例えばダイセルファインケム株式会社製のセビアン−Ａ４３５）を塗布して貼着する。なお、図４（ａ）中、最上段に位置する硬質紙５ａの上面と、最下段に位置する硬質紙５ｂの下面には接着剤６を塗布しない。
【００１６】
この後、図４（ｂ）に示すように積層体３ａを、その上下方向から圧縮して各硬質紙５，５，…を一体に貼着させ、環状部３の積層体３ａを一体に形成する。底部２の積層体２ａは、その厚さに応じて環状部３の積層体３ａの硬質紙５，５，…の枚数や色紙を増減して、環状部３の積層体３ａと同様の方法により一体に形成される。
【００１７】
次に、図４（ｃ）に示すように上記図４（ｂ）の環状部３用の積層体３ａに中心孔３ｃを糸鋸により切断して形成し、その切断面の縞模様４を目視可能に外部に露出させる。
【００１８】
この後、図４（ｄ）に示すように上記図４（ｃ）の環状部３用の積層体３ａの底部に、底部２用の積層体２ａを上記接着剤６によりほぼ同心円状に貼着し、図中上下方向に圧縮してこれら積層体２ａ，３ａ同士を一体に貼着形成する。
【００１９】
次に、図４（ｅ）に示すように、これら一体化した積層体２ａ，３ａを、環状部３の外周に沿って上記糸鋸により切断し、その後、これら全体の外面に、食品衛生法上許可された透明のウレタン塗料７を塗装する。このウレタン塗料７としては、例えばユニオンペイント株式会社製のＥＴウレタンフラット等を使用する。ウレタン塗料７の塗装は、一度下地塗装をしてからサンダーで塗装表面を整えた後に、再度２回目の塗装を行うことにより実施される。
【００２０】
この文房具トレイ１は、上記２つの積層体２ａ，３ａ同士を貼着して一体に形成されているので、これら２つの積層体２ａ，３ａの内，外周の両側面２ｂ，３ｂ、すなわち木口に、硬質紙５，５，…の側断面の複数色が柾目状の縞模様４として表われる。このために、これら側面２ｂ，３ｂの美観の向上を図ることができる。
【００２１】
しかも、これら柾目状の縞模様４の配色やこの配色の幅、すなわち、縞の幅は、積層する色紙の硬質紙５の積層数や位置により簡単かつ迅速に調整することができるので、一層の美観の向上を図ることができる。
【００２２】
そして、文房具トレイ１の外表面は透明のウレタン塗料７により塗装されているので、艶消しの落ち着いた光沢が出て美観が向上するうえに、耐摩耗性と外面強度の向上、防水性向上、退色低減をそれぞれ図ることができる。しかも、このウレタン塗料７は食品衛生法上、許可されたものであるので、食器として使用しても食品衛生上も安全である。
【００２３】
さらに、文房具トレイ１は、複数枚の硬質紙５，５，…を一体に積層した積層体２ａ，３ａにより構成されているので、全体の強度と剛性を大幅に向上させることができる。このために、テーブルや椅子等の家具や什器等にも応用することができる。
【００２４】
そして、文房具トレイ１は、硬質紙５，５，…の積層体２ａ，３ａから構成されているので、プレス裁断により形状を形成することは極めて困難であるが、円形や湾曲面に沿って切断できる糸鋸により切断して、形状を形成するので、円形や湾曲面を簡単かつ迅速に形成することができる。
【００２５】
なお、文房具トレイ１の底部２と環状部３は円形に限定されるものではなく、例えば矩形でもよく、その形状には限定されない。
【００２６】
図２は、第２の実施形態に係る箸置き１１を例えば２つ示している。これら各箸置き１１も、その円弧状側面１１ｂに、複数縞の縞模様４を形成している。この縞模様４も上記文房具トレイ１の積層体２ａ，３ａと同様に、複数色かつ複数枚の硬質紙５，５，…が接着剤６により一体化された積層体１１ａにより構成されており、糸鋸により円弧状に形成されている。箸置き１１は円弧状の形状が相違する以外は、上記文房具トレイ１とほぼ同様の製造方法により製造される。箸置き１１の形状は糸鋸により円弧状以外の種々の形状に形成してもよい。
【００２７】
この箸置き１１も上記文房具トレイ１と同様に、複数色かつ複数枚の硬質紙５，５，…が接着剤６により一体化された積層体１１ａにより構成され、外表面全体に透明のウレタン塗料７が塗装されているので、上記文房具トレイ１とほぼ同様の作用効果を奏することができる。
【００２８】
図３は第３の実施形態に係る左右一対のモバイルＰＣ（パーソナル・コンピュータ）スタンド２１，２１を示している。これら左右一対のモバイルＰＣスタンド２１，２１も上記文房具トレイ１および箸置き１１と同様に、複数色かつ複数枚の硬質紙５，５，…が接着剤６により一体化された積層体２１ａにより構成されており、糸鋸により所要のスタンド形状に形成されている。モバイルＰＣスタンド２１は、形状が相違する以外は、上記文房具トレイ１や箸置き１１とほぼ同様の製造方法により製造される。
【００２９】
これらモバイルＰＣスタンド２１，２１は、その本体全体を、側面形状がほぼ直角扇形状を呈するように形成している。そして、モバイルＰＣスタンド２１は、その扇形状本体に、モバイルＰＣ２２の例えば下底部の左右端部を挿脱可能に嵌入させる嵌合凹部２１ｂを形成し、この嵌合凹部２１ｂ内に、モバイルＰＣ２２の下底部の左右端部を嵌入させた状態で自立できる形状に構成されていればよく、この扇形以外の形状でもよい。
【００３０】
これらモバイルＰＣスタンド２１，２１も上記文房具トレイ１と箸置き１１と同様に、複数色かつ複数枚の硬質紙５，５，…が接着剤６により一体化された積層体２１ａ，２１ａにより構成され、外表面全体には、透明のウレタン塗料７が塗装されている。このために、モバイルＰＣスタンド２１によっても上記文房具トレイ１や箸置き１１とほぼ同様の作用効果を奏することができる。
【００３１】
なお、上記硬質紙５は、他の紙素材、例えば普通紙に置換してもよい。また、上記各実施形態では、積層体２ａ，３ａ、１１ａ、２１ａを糸鋸により所要形状に切断して形状を形成する方法について説明したが、本考案はこれに限定されるものではなく、例えば上記積層体２ａ，３ａ、１１ａ、２１ａをＮＣ（Ｎｕｍｅｒｉｃａｌ  ｃｏｎｔｒｏｌ）ルータや打ち抜き加工により所要形状に形成するようにしてもよい。
【００３２】
そして、本考案は上記文房具トレイ１、箸置き１１およびモバイルＰＣスタンド２１以外にも、以下の製品にも適用することができる。
【００３３】
すなわち、時計のケース（外殻体）、キーホルダー用フィギュア、アルバムや手帳、日記帳の表紙、バインダー、イーゼル、アルファベット文字や数字の形状に形成された玩具、フォトフレーム、マルチラック（ワインラック）、マルチボックス、ペン立て、ブックスタンド、携帯電話器やスマートフォンのカバー、ブレスレット、テーブルや椅子、鏡枠等の家具、ハンガー、各種皿等に適用することができる。
【００３４】
以上、本考案の幾つかの実施形態を説明したが、これらの実施形態は、例として提示したものであり、考案の範囲を限定することは意図していない。これら新規な実施形態は、その他の様々な形態で実施されることが可能であり、考案の要旨を逸脱しない範囲で、種々の省略、置換え、変更を行うことができる。これら実施形態やその変形は、考案の範囲や要旨に含まれるとともに、実用新案登録請求の範囲に記載された考案とその均等の範囲に含まれる。
【符号の説明】
【００３５】
１…文房具トレイ、２…底部、３…環状部、２ａ，３ａ…積層体、２ｂ，３ｂ…側面、３ｃ…中心孔、４…縞模様、５…硬質紙、６…接着剤、７…ウレタン塗料、１１…箸置き、１１ａ…積層体、２１…モバイルＰＣスタンド、２１ａ…積層体、２１ｂ…嵌合凹部。
【図１】
0003185821.tif 000003
【図２】
0003185821.tif 000004
【図３】
0003185821.tif 000005
【図４】
0003185821.tif 000006